(57)【要約】【課題】ヘッド部に吸引機能を備えた場合にも円滑な髭剃りを可能として、髭剃り性能を向上することができる電気カミソリを得る。【解決手段】刃ブロック４の外周を囲繞し、頂面７Ｔが刃ブロック４の先端面４ａよりも突出する外筒部７を設ける。外筒部７の頂面７Ｔに肌面との接触抵抗を低減する摩擦低減材８を設けるとともに、電気カミソリ１に外筒部７の内方空気を吸引する空気吸入機構９を設ける。これにより摩擦低減材８によって外筒部７の頂面７Ｔと肌面との滑りを良好にし、空気吸入機構９によって外筒部７の内方空気を吸引して深剃りが可能になる。このとき、摩擦低減材８によって外筒部７の頂面７Ｔが肌面に引っ掛かるのを抑制できるため、肌面に皺ができるのを抑制して髭の剃り残しを減少する。【選択図】図２
2009072448.tif 000002
【特許請求の範囲】
【請求項１】
電源部を内蔵したグリップ部と、内刃および外刃からなる刃ブロックを有するヘッド部と、を備えた電気カミソリにおいて、
前記刃ブロックの外周を囲繞して設けられ肌面に接触する頂面が刃ブロックの先端面よりも突出する外筒部と、
前記外筒部の頂面に設けられ肌面との接触抵抗を低減する摩擦低減部と、
前記外筒部の内方空気を吸引する空気吸入機構と、を備えたことを特徴とする電気カミソリ。
【請求項２】
前記外筒部を、前記刃ブロックに対して着脱可能としたことを特徴とする請求項１に記載の電気カミソリ。
【請求項３】
前記摩擦低減部は、外筒部の頂面にコーティングした摩擦低減材であることを特徴とする請求項１または２に記載の電気カミソリ。
【請求項４】
前記摩擦低減部は、外筒部の頂面の対向部にそれぞれ設けられ、その対向方向に回転自在な複数のローラであることを特徴とする請求項１または２に記載の電気カミソリ。
【請求項５】
前記摩擦低減部は、外筒部の頂面の周囲に設けられ、あらゆる方向の回転が許容される複数のボールであることを特徴とする請求項１または２に記載の電気カミソリ。
【請求項６】
前記空気吸入機構は、空気吸入駆動部を備え、該空気吸入駆動部は切断した髭屑の捕捉部を設けて着脱可能としたことを特徴とする請求項１〜５のいずれか１つに記載の電気カミソリ。
【請求項７】
前記外筒部に、当該外筒部の頂面が刃ブロックの先端面から突出する量を調整する調整機構を設けたことを特徴とする請求項１〜６のうちいずれか１つに記載の電気カミソリ。
【請求項８】
前記調整機構は、前記外筒部の頂面が刃ブロックの先端面よりも後退すると前記空気吸入機構の作動を停止するスイッチ部を有することを特徴とする請求項７に記載の電気カミソリ。
【請求項９】
前記外筒部をその突出方向に２分割して、その先端側筒部と基端側筒部との間に前記調整機構を配設したことを特徴とする請求項７または８に記載の電気カミソリ。
【請求項１０】
前記外筒部は、これの頂面が肌面の形状に追従して変化する形状可変機構を備えたことを特徴とする請求項１〜９のうちいずれか１つに記載の電気カミソリ。
【請求項１１】
前記形状可変機構は、前記外筒部の頂面に設けたワニ口構造部と、外筒部の少なくとも先端部分を形成してワニ口構造部の動きを容易にする変形許容部と、を備えたことを特徴とする請求項１０に記載の電気カミソリ。
【請求項１２】
前記外筒部の頂面は、断面が略半円弧状となる凸丸形状に形成されることを特徴とする請求項１〜１１のいずれか１つに記載の電気カミソリ。
【請求項１３】
凸丸形状に形成した前記外筒部の頂面部分が軟弾性体で形成されることを特徴とする請求項１２に記載の電気カミソリ。
【発明の詳細な説明】
【技術分野】
【０００１】
本発明は、電気カミソリに関する。
【背景技術】
【０００２】
電気カミソリは、電池などの電源部を内蔵したグリップ部と、内刃および外刃からなる刃ブロックを設けたヘッド部とを備えて構成され、グリップ部を持ってヘッド部の刃ブロックを肌面に押し当てることにより、外刃から刃ブロック内に取り入れた髭を内刃で切断するようになっている。
【０００３】
このような電気カミソリとして、従来、ヘッド部の先端から空気を吸引することにより、肌面を刃ブロック方向に吸着して髭をより短く切断できるようにしたものがある（例えば、特許文献１参照）。
【特許文献１】特開２００１−２１８９８７号公報
【発明の開示】
【発明が解決しようとする課題】
【０００４】
しかしながら、上記特許文献１に開示される電気カミソリは、ヘッド部の先端から空気を吸引するためにカップフードを設けてあり、そのカップフードの先端が肌面に引っ掛かるなどして円滑な髭剃りが困難になる。また、このようにヘッド部が肌面に引っ掛かると肌面に皺が発生し、その皺が髭を倒して髭剃り性能が低下してしまう。
【０００５】
そこで、本発明は、ヘッド部に吸引機能を備えた場合にも円滑な髭剃りを可能として、髭剃り性能を向上することができる電気カミソリを得ることを目的とする。
【課題を解決するための手段】
【０００６】
請求項１の発明にあっては、電源部を内蔵したグリップ部と、内刃および外刃からなる刃ブロックを有するヘッド部と、を備えた電気カミソリにおいて、上記刃ブロックの外周を囲繞して設けられ肌面に接触する頂面が刃ブロックの先端面よりも突出する外筒部と、上記外筒部の頂面に設けられ肌面との接触抵抗を低減する摩擦低減部と、上記外筒部の内方空気を吸引する空気吸入機構と、を備えたことを特徴とする。
【０００７】
請求項２の発明にあっては、上記外筒部を、上記刃ブロックに対して着脱可能としたことを特徴とする。
【０００８】
請求項３の発明にあっては、上記摩擦低減部は、外筒部の頂面にコーティングした摩擦低減材であることを特徴とする。
【０００９】
請求項４の発明にあっては、上記摩擦低減部は、外筒部の頂面の対向部にそれぞれ設けられ、その対向方向に回転自在な複数のローラであることを特徴とする。
【００１０】
請求項５の発明にあっては、上記摩擦低減部は、外筒部の頂面の周囲に設けられ、あらゆる方向の回転が許容される複数のボールであることを特徴とする。
【００１１】
請求項６の発明にあっては、上記空気吸入機構は、空気吸入駆動部を備え、該空気吸入駆動部は切断した髭屑の捕捉部を設けて着脱可能としたことを特徴とする。
【００１２】
請求項７の発明にあっては、上記外筒部に、当該外筒部の頂面が刃ブロックの先端面から突出する量を調整する調整機構を設けたことを特徴とする。
【００１３】
請求項８の発明にあっては、上記調整機構は、上記外筒部の頂面が刃ブロックの先端面よりも後退すると上記空気吸入機構の作動を停止するスイッチ部を有することを特徴とする。
【００１４】
請求項９の発明にあっては、上記外筒部をその突出方向に２分割して、その先端側筒部と基端側筒部との間に上記調整機構を配設したことを特徴とする。
【００１５】
請求項１０の発明にあっては、上記外筒部は、これの頂面が肌面の形状に追従して変化する形状可変機構を備えたことを特徴とする。
【００１６】
請求項１１の発明にあっては、上記形状可変機構は、上記外筒部の頂面に設けたワニ口構造部と、外筒部の少なくとも先端部分を形成してワニ口構造部の動きを容易にする変形許容部と、を備えたことを特徴とする。
【００１７】
請求項１２の発明にあっては、上記外筒部の頂面は、断面が略半円弧状となる凸丸形状に形成されることを特徴とする。
【００１８】
請求項１３の発明にあっては、凸丸形状に形成した上記外筒部の頂面部分が軟弾性体で形成されることを特徴とする。
【発明の効果】
【００１９】
請求項１の発明によれば、刃ブロックの外周に該刃ブロックの先端面よりも突出して設けた外筒部の頂面に摩擦低減部を設けたので、外筒部の頂面と肌面との滑りを良好にして円滑な髭剃りが可能となる。また、空気吸入機構によって外筒部の内方空気を吸引することにより、肌面を刃ブロックの先端面側に引っ張ることができるので、髭を根本から切断して深剃りが可能になる。このとき、上記摩擦低減部によって外筒部の頂面が肌面に引っ掛かるのを抑制できるため、肌面に皺ができるのを抑制して髭の剃り残しを減少することができる。
【００２０】
請求項２の発明によれば、上記外筒部を上記刃ブロックに対して着脱可能としたので、外筒部を取り外すことにより鼻などの突起部の間際まで綺麗に髭を剃ることができる。
【００２１】
請求項３の発明によれば、上記摩擦低減部を摩擦低減材として、それを外筒部の頂面にコーティングしたので、外筒部の頂面は肌面に沿ったあらゆる方向の滑りを向上することができる。
【００２２】
請求項４の発明によれば、上記摩擦低減部を外筒部の頂面の対向方向に回転自在な複数のローラで形成して、そのローラを外筒部の対向部にそれぞれ設けたので、外筒部の頂面の対向方向の滑りを向上して、肌面に沿ってヘッド部を滑らかに移動させることができる。
【００２３】
請求項５の発明によれば、上記摩擦低減部をあらゆる方向の回転が許容される複数のボールで形成して、そのボールを外筒部の頂面の周囲にそれぞれ設けたので、外筒部の頂面の肌面に沿ったあらゆる方向の滑りを向上することができる。
【００２４】
請求項６の発明によれば、上記空気吸入機構は、髭屑の捕捉部を設けた空気吸入駆動部を備えて着脱可能としたので、空気吸入駆動部で外筒部内の空気を吸入する際に髭屑が飛び散るのを防止できるとともに、捕捉した髭屑は空気吸入駆動部を取り外すことにより、まとめて廃棄することができる。
【００２５】
請求項７の発明によれば、調整機構によって外筒部の頂面が刃ブロックの先端面から突出する量を調整できるので、肌面の弾力の個人差や髭剃り部位に応じて適度な密着状態を作り出して、髭剃り効率を高めることができる。
【００２６】
請求項８の発明によれば、調整機構にスイッチ部を備えて、外筒部の頂面が刃ブロックの先端面よりも後退すると空気吸入機構の作動を停止するようにしたので、刃ブロックと肌面とが過度に密着するのを防止して、肌面を痛めるのを抑制できる。
【００２７】
請求項９の発明によれば、外筒部をそれの突出方向に２分割した先端側筒部と基端側筒部との間に調整機構を配設したので、基端側筒部を刃ブロック側に固定した状態で先端側筒部のみで突出量を調整でき、外筒部の頂面の出没調整を容易にしつつ、適度な肌面への密着状態を作り出して、髭剃り効率を高めることができる。
【００２８】
請求項１０の発明によれば、上記外筒部に形状可変機構を備えて、頂面が肌面の形状に追従して変化するようにしたので、顎や鼻下などの肌面の凹凸形状に応じて適度な密着状態を作り出して、髭剃り効率を高めることができる。
【００２９】
請求項１１の発明によれば、上記形状可変機構は、外筒部の頂面に設けたワニ口構造部によって肌面への追従性を向上できるとともに、外筒部の少なくとも先端部分を変形許容部で形成したことにより、ワニ口構造部による頂面の変化を円滑に行うことができる。
【００３０】
請求項１２の発明によれば、上記外筒部の頂面の断面を略半円弧状となる凸丸形状に形成したので、外筒部の頂面と肌面とを略線接触させて外筒部内の気密性を高め、空気吸入機構による吸引効果を向上することができる。
【００３１】
請求項１３の発明によれば、凸丸形状に形成した上記外筒部の頂面部分を軟弾性体で形成したので、外筒部の頂面と肌面との密着性をより高めて外筒部内の気密性をさらに高め、空気吸入機構による吸引効果をさらに向上することができる。
【発明を実施するための最良の形態】
【００３２】
以下、本発明の実施形態について図面を参照しつつ詳細に説明する。
【００３３】
（第１実施形態）図１〜図３は本発明にかかる電気カミソリの第１実施形態を示し、図１は電気カミソリの正面図、図２は電気カミソリの側面図、図３は電気カミソリの背面図である。
【００３４】
図１〜図３に示すように、本実施形態の電気カミソリ１は電池などの電源部を内蔵したグリップ部２と、図示省略した内刃および外刃３からなる刃ブロック４を有するヘッド部５と、を備えて構成されている。
【００３５】
電気カミソリ１は、グリップ部２の正面側中腹に設けたスイッチ６の操作によって内刃を図外のアクチュエータ（例えば、リニアアクチュエータやモータ）で駆動し、メッシュ状またはスリット状に形成した外刃３から刃ブロック４内に取り込んだ髭を切断するものである。
【００３６】
ここで、本実施形態では、ヘッド部５に刃ブロック４の外周を囲繞して外筒部７を設け、その外筒部７の頂面７Ｔを刃ブロック４の先端面４ａよりも突出させて、その頂面７Ｔを顔などの肌面に接触させるようになっている。外筒部７は、刃ブロック４の外側形状に沿って断面矩形状となっている。外筒部７は、刃ブロック４に対して着脱可能となっている。
【００３７】
また、外筒部７の頂面７Ｔには、肌面との接触抵抗を低減する摩擦低減部としての摩擦低減材８（例えば、ポリテトラフルオロエチレン（ＰＴＦＥ）のフッ素樹脂やポリアミド（ＰＡ））を設けてある。本実施形態では、その摩擦低減材８を外筒部７の頂面７Ｔにコーティング加工して、外筒部７と一体化してある。
【００３８】
さらに、この電気カミソリ１には、外筒部７の内方空気を吸引する空気吸入機構９を設けてある。
【００３９】
空気吸入機構９は、例えば、ファンなどの空気吸入駆動部１０を備えており、この空気吸入駆動部１０を、図２、図３に示すように、外筒部７の背面側の下部に設け、外筒部７内側から空気を吸引して外方に排出するようになっている。
【００４０】
空気吸入駆動部１０には、図示省略したが切断した髭屑の捕捉部（例えば、フィルタ）を設けて、外筒部７に着脱可能としてある。また、空気吸入駆動部１０には、吸引力を調節するスイッチを設けることが好ましい。
【００４１】
以上の構成により本実施形態の電気カミソリ１によれば、刃ブロック４の外周にこの刃ブロック４の先端面４ａよりも突出して外筒部７を設けたので、顔の髭を剃る際には、外筒部７の頂面７Ｔが肌面に沿って移動しつつ刃ブロック４によって髭を切断することができる。
【００４２】
このとき、外筒部７の頂面７Ｔに摩擦低減材８を設けてあるので、外筒部７の頂面７Ｔと肌面との滑りを良好にして円滑な髭剃りが可能となる。摩擦低減材８は、ポリテトラフルオロエチレン（ＰＴＦＥ）やポリアミド（ＰＡ）であり、これを頂面７Ｔにコーティングしたので、外筒部７の頂面７Ｔは肌面に沿ったあらゆる方向の滑りを向上することができる。
【００４３】
また、外筒部７に空気吸入機構９を設けて、この空気吸入機構９によって外筒部７の内方空気を吸引することにより、その外筒部７の内側を負圧にして肌面を刃ブロック４の先端面４ａ側に引っ張ることができるため、髭を根本から切断して深剃りが可能になる。このとき、摩擦低減材８によって外筒部７の頂面７Ｔが肌面に引っ掛かるのを抑制できるため、肌面に皺ができるのを抑制して髭の剃り残しを減少することができる。
【００４４】
さらに、本実施形態では外筒部７を刃ブロック４に対して着脱可能としたので、外筒部７を取り外すことにより鼻などの突起部の間際まで綺麗に髭を剃ることができる。
【００４５】
さらにまた、空気吸入機構９は、髭屑の捕捉部を設けた空気吸入駆動部１０を備えて着脱可能としたので、空気吸入駆動部１０で外筒部７内の空気を吸入する際に髭屑が飛び散るのを防止できるとともに、捕捉した髭屑は空気吸入駆動部１０を取り外すことにより、まとめて廃棄することができる。
【００４６】
（第２実施形態）図４〜図６は本発明の第２実施形態を示し、第１実施形態と同一構成部分に同一符号を付して重複する説明を省略して述べるものとする。図４は電気カミソリの正面図、図５は電気カミソリの側面図、図６は電気カミソリの背面図である。
【００４７】
図４〜図６に示すように、本実施形態の電気カミソリ１Ａは、基本的に第１実施形態の電気カミソリ１の構成と同様に、グリップ部２とヘッド部５とを備え、ヘッド部５には刃ブロック４の外周を囲繞して外筒部７を設けてある。
【００４８】
また、電気カミソリ１Ａには、空気吸入駆動部１０を備えた空気吸入機構９を設けて外筒部７の内方空気を吸引するようになっているが、特に、本実施形態では、図５、図６に示すように、空気吸入駆動部１０をグリップ部２の背面のヘッド部５寄り部分（図中、上部）に設けてある。もちろん、空気吸入駆動部１０は、グリップ部２を握った時に邪魔にならない部位に設けてある。
【００４９】
そして、空気吸入駆動部１０は、グリップ部２の内部に形成した図示省略した空気通路を介して外筒部７の内側に連通し、その空気通路を介して外筒部７内側の空気を吸引するようになっている。
【００５０】
もちろん、本実施形態にあっても、外筒部７の頂面７Ｔに摩擦低減材８を設けてあり、また、空気吸入駆動部１０には髭屑の捕捉部を設けてグリップ部２に着脱可能とすることが好ましい。
【００５１】
以上の構成により本実施形態の電気カミソリ１Ａによれば、外筒部７の頂面７Ｔに摩擦低減材８を設け、かつ、外筒部７の内方空気を吸引する空気吸入機構９を設けたので、第１実施形態と同様の作用効果を奏することができる。
【００５２】
（第３実施形態）図７、図８は本発明の第３実施形態を示し、各実施形態と同一構成部分に同一符号を付して重複する説明を省略して述べるものとする。図７は電気カミソリのヘッド部の先端を示す端面図、図８は同ヘッド部の正面図である。
【００５３】
図７、図８に示すように、本実施形態の電気カミソリは、基本的に第１実施形態の電気カミソリ１の構成と同様に、グリップ部２とヘッド部５とを備え、ヘッド部５には刃ブロック４の外周を囲繞して断面矩形状の外筒部７を設けてある。
【００５４】
そして、本実施形態では、外筒部７の頂面７Ｔの対向部７ａ、７ｂおよび７ｃ、７ｄに、その対向方向に回転自在な複数のローラ１１Ａ、１１Ｂを設け、それらローラ１１Ａ、１１Ｂを摩擦低減部として用いてある。
【００５５】
すなわち、長辺となる対向部７ａ、７ｂには、それぞれ回転軸方向に長い軸長ローラ１１Ａを対向部７ａ、７ｂに沿って設けるとともに、短辺となる対向部７ｃ、７ｄには、それぞれ回転軸方向に短い軸短ローラ１１Ｂを対向部７ｃ、７ｄに沿って設けてある。
【００５６】
対向部７ａ、７ｂに設けた軸長ローラ１１Ａは、それぞれの対向方向に回転自在となっており、かつ、対向部７ｃ、７ｄに設けた軸短ローラ１１Ｂは、それぞれの対向方向に回転自在となっている。
【００５７】
なお、本実施形態では軸長ローラ１１Ａは各対向部７ａ、７ｂに１つづつを設け、かつ、軸短ローラ１１Ｂは各対向部７ｃ、７ｄに２つづつを設けてあるが、軸長ローラ１１Ａは、軸方向に複数に分割したローラの集合により形成してもよく、また、各対向部７ｃ、７ｄの複数の軸短ローラ１１Ｂを、１つづつのローラで形成してもよい。
【００５８】
以上の構成により本実施形態の電気カミソリによれば、摩擦低減部を、外筒部７の頂面７Ｔの対向方向に回転自在な複数のローラ１１Ａ、１１Ｂで形成し、それらローラ１１Ａ、１１Ｂを外筒部７の対向部７ａ、７ｂおよび７ｃ、７ｄにそれぞれ設けたので、外筒部７の頂面７Ｔの対向方向の滑りを向上して、肌面に沿ってヘッド部５を滑らかに移動させることができる。
【００５９】
（第４実施形態）図９、図１０は本発明の第４実施形態を示し、各実施形態と同一構成部分に同一符号を付して重複する説明を省略して述べるものとする。図９は電気カミソリのヘッド部の先端を示す端面図、図１０は同ヘッド部の正面図である。
【００６０】
図９、図１０に示すように、本実施形態の電気カミソリは、基本的に第１実施形態の電気カミソリ１の構成と同様に、グリップ部２とヘッド部５とを備え、ヘッド部５には刃ブロック４の外周を囲繞して断面矩形状の外筒部７を設けてある。
【００６１】
そして、本実施形態では、外筒部７の頂面７Ｔの周囲にあらゆる方向の回転が許容される複数のボール１２を設け、それらボール１２を摩擦低減部として用いてある。
【００６２】
すなわち、外筒部７の頂面７Ｔの対向部７ａ、７ｂおよび７ｃ、７ｄに、それぞれ複数のボール１２を一端部が露出するようにして回転自在に埋設してある。
【００６３】
以上の構成により本実施形態の電気カミソリによれば、摩擦低減部を、外筒部７の頂面７Ｔの周囲に設けた、あらゆる方向の回転が許容される複数のボール１２で形成したので、外筒部７の頂面７Ｔの肌面に沿ったあらゆる方向の滑りを向上することができる。
【００６４】
（第５実施形態）図１１〜図１３は本発明の第５実施形態を示し、各実施形態と同一構成部分に同一符号を付して重複する説明を省略して述べるものとする。図１１は電気カミソリの側面図、図１２は電気カミソリの背面図、図１３は図１２中Ａ部の拡大断面図である。
【００６５】
図１１、図１２に示すように、本実施形態の電気カミソリ１Ｂは、基本的に第１実施形態の電気カミソリ１の構成と同様に、グリップ部２とヘッド部５とを備え、ヘッド部５には刃ブロック４の外周を囲繞して断面矩形状の外筒部７を設けてある。また、空気吸入駆動部１０を備えた空気吸入機構９を設けて外筒部７の内方空気を吸引するようになっている
そして、本実施形態では、外筒部７に、これの頂面７Ｔが刃ブロック４の先端面４ａから突出する量を調整する調整機構１３を設けてある。
【００６６】
調整機構１３は、図１３に示すように、外筒部７の側壁７Ｓに回動自在に取り付けたつまみ１４と、刃ブロック４の側面に形成した断面鋸歯状の係合凹部１５と、を備えて構成してある。つまみ１４は、外筒部７から突出する操作部１４ａと、外筒部７の内方に突出して係合凹部１５に係合可能な係合部１４ｂと、が形成され、中央部分がピン１４ｃによって側壁７Ｓに枢着される。そして、ピン１４ｃには、係合部１４ｂと係合凹部１５とが係合する方向（Ｘ方向）につまみ１４を回転付勢するバネ１４ｄを設けてある。
【００６７】
従って、つまみ１４の非操作状態では係合部１４ｂが係合凹部１５の１つに係合して外筒部７を固定した状態となり、また、操作部１４ａを係合解除方向に操作してつまみ１４を回転（Ｙ方向）することにより、係合部１４ｂが係合凹部１５から離脱して外筒部７の移動が許容される。
【００６８】
調整機構１３は、外筒部７の脱着機能を備え、つまみ１４の係合部１４ｂと係合凹部１５との係合を解除した状態を保持することにより、外筒部７を刃ブロック４から取り外すことができる。
【００６９】
また、調整機構１３は、外筒部７の頂面７Ｔが刃ブロック４の先端面４ａよりも後退すると空気吸入機構９の作動を停止するスイッチ部１６を設けてある。
【００７０】
スイッチ部１６は、係合凹部１５の複数の凹部のうち刃ブロック４の先端面４ａから最も離れる方向（図中最下方）の凹部に係合部１４ｂが位置した際に、内刃の駆動部への通電を遮断するようになっている。
【００７１】
以上の構成により本実施形態の電気カミソリ１Ｂによれば、調整機構１３によって外筒部７の頂面７Ｔが刃ブロック４の先端面４ａから突出する量を調整できるので、肌面の弾力の個人差や髭剃り部位に応じて適度な密着状態を作り出して、髭剃り効率を高めることができる。
【００７２】
また、調整機構１３にスイッチ部１６を備えて、外筒部７の頂面７Ｔが刃ブロック４の先端面４ａよりも後退すると空気吸入機構９の作動を停止するようにしたので、刃ブロック４と肌面とが過度に密着するのを防止して、肌面を痛めるのを抑制できる。
【００７３】
もちろん、本実施形態にあっても、外筒部７の頂面７Ｔに摩擦低減材８を設けてあり、また、空気吸入駆動部１０には髭屑の捕捉部を設けてグリップ部２に着脱可能とすることが好ましい。
【００７４】
（第６実施形態）図１４、図１５は本発明の第６実施形態を示し、第１実施形態と同一構成部分に同一符号を付して重複する説明を省略して述べるものとする。図１４は電気カミソリの側面図、図１５は電気カミソリの背面図である。
【００７５】
図１４、図１５に示すように、本実施形態の電気カミソリ１Ｃは、基本的に第５実施形態の電気カミソリ１Ｂの構成と同様に、グリップ部２とヘッド部５とを備えるとともに、調整機構１３を設けてあり、この調整機構１３は、外筒部７の頂面７Ｔが刃ブロック４の先端面４ａよりも後退すると空気吸入機構９の作動を停止する機能を備える。
【００７６】
また、第５実施形態では、空気吸入機構９の空気吸入駆動部１０を外筒部７に設けてあるが、特に、本実施形態では、図１４、図１５に示すように、空気吸入駆動部１０をグリップ部２の背面のヘッド部５寄り部分（図中、上部）に設けてあるとともに、調整機構１３を外筒部７の背面中央部に設けてある。
【００７７】
空気吸入駆動部１０は、第２実施形態と同様に、グリップ部２の内部に形成した図示省略した空気通路を介して外筒部７の内側に連通し、その空気通路を介して外筒部７内側の空気を吸引するようになっている。
【００７８】
もちろん、本実施形態にあっても、外筒部７の頂面７Ｔに摩擦低減材８を設けてあり、また、空気吸入駆動部１０には髭屑の捕捉部を設けてグリップ部２に着脱可能とすることが好ましい。
【００７９】
以上の構成により本実施形態の電気カミソリ１Ｃによれば、外筒部７の内方空気を吸引する空気吸入機構９を設けるとともに、調整機構１３を設けたので、第５実施形態と同様の作用効果を奏することができる。
【００８０】
（第７実施形態）図１６は本発明の第７実施形態を示し、第５実施形態と同一構成部分に同一符号を付して重複する説明を省略して述べるものとする。図１６は外筒部の断面図である。
【００８１】
図１６に示すように、本実施形態の電気カミソリは、第５実施形態と同様に調整機構１３Ａを設けてあるが、特に、本実施形態では、外筒部７をそれの突出方向に２分割して、その先端側筒部７Ｍと基端側筒部７Ｎとの間に調整機構１３Ａを配設してある。
【００８２】
以上の構成により本実施形態によれば、外筒部７をそれの突出方向に２分割した先端側筒部Ｍと基端側筒部７Ｎとの間に調整機構１３Ａを配設したので、基端側筒部７Ｎを刃ブロック４側に固定した状態で先端側筒部７Ｍのみで突出量を調整できる。このため、外筒部７の頂面７Ｔの出没調整を容易にしつつ、適度な肌面への密着状態を作り出して、髭剃り効率を高めることができる。
【００８３】
（第８実施形態）図１７、図１８は本発明の第８実施形態を示し、第１実施形態と同一構成部分に同一符号を付して重複する説明を省略して述べるものとする。図１７は外筒部の正面図、図１８は外筒部の側面図である。
【００８４】
図１７、図１８に示すように、本実施形態の電気カミソリは各実施形態と同様に外筒部７を備えるが、本実施形態では外筒部７に、それの頂面７Ｔが肌面の形状に追従して変化する形状可変機構１７を設けてある。また、図示省略したが本実施形態の電気カミソリには空気吸入機構（図３または図６参照）を設けてある。
【００８５】
形状可変機構１７は、外筒部７の頂面７Ｔに設けたワニ口構造部１８Ａ、１８Ｂと、外筒部７の少なくとも先端部分を形成してワニ口構造部１８Ａ、１８Ｂの動きを容易にする変形許容部１９と、を備えて構成してある。
【００８６】
一方のワニ口構造部１８Ａは、外筒部７の開口部７Ｋの正面側および背面側の周縁中央部にヒンジ部２０を設けて構成するとともに、他方のワニ口構造部１８Ｂは、外筒部７の開口部７Ｋの左・右側面側の周縁中央部にヒンジ部２０を設けて構成してある。
【００８７】
従って、ワニ口構造部１８Ａ、１８Ｂでは、外筒部７の開口部７Ｋの周縁部が顎や鼻下などの肌面の凹凸部分では、図１７、図１８中２点鎖線に示すように、ヒンジ部２０を挟む両側部分がワニ口状に変形して凹凸部分に追従する。
【００８８】
また、変形許容部１９は、ワニ口構造部１８Ａ、１８Ｂの動きに追従して外筒部７が伸縮変形できるように、その外筒部７の少なくとも先端部分（開口部７Ｋ側）をゴムなどの弾性体で形成してある。もちろん、変形許容部１９は伸縮変形が許容されるにしても、空気吸入機構により外筒部７の内側に発生する負圧では変形しない程度の剛性を備えている。
【００８９】
以上の構成により本実施形態によれば、外筒部７に形状可変機構１７を備えて、頂面７Ｔが肌面の形状に追従して変化するようにしたので、顎や鼻下などの肌面の凹凸形状に応じて適度な密着状態を作り出して、髭剃り効率を高めることができる。
【００９０】
また、形状可変機構１７は、外筒部７の頂面７Ｔに設けたワニ口構造部１８Ａ、１８Ｂによって肌面への追従性を向上できるとともに、外筒部７の少なくとも先端部分を変形許容部１９で形成したことにより、ワニ口構造部１８Ａ、１８Ｂによる頂面７Ｔの変化を円滑に行うことができる。
【００９１】
（第９実施形態）図１９、図２０は本発明の第９実施形態を示し、第８実施形態と同一構成部分に同一符号を付して重複する説明を省略して述べるものとする。図１９は外筒部の正面図、図２０は外筒部の側面図である。
【００９２】
図１９、図２０に示すように、本実施形態の電気カミソリの外筒部７は、第８実施形態と同様に、外筒部７にワニ口構造部１８Ａ、１８Ｂを備えた形状可変機構１７を設けてあり、かつ、外筒部７にワニ口構造部１８Ａ、１８Ｂの動きを容易にする変形許容部１９を設けてあるが、特に、本実施形態では変形許容部１９を蛇腹部２１によって形成してある。
【００９３】
蛇腹部２１は、外筒部７を筒軸方向（図中上下方向）に伸縮するようにその外筒部７自体に形成してある。
【００９４】
以上の構成により本実施形態によれば、蛇腹部２１がワニ口構造部１８Ａ、１８Ｂの動きを容易にするので第８実施形態と同様の作用効果を奏するのはもちろんのこと、さらには、蛇腹部２１が伸縮性に富むことからワニ口構造部１８Ａ、１８Ｂの動きをより軽快にすることができる。
【００９５】
（第１０実施形態）図２１は本発明の第１０実施形態を示し、各実施形態と同一構成部分に同一符号を付して重複する説明を省略して述べるものとする。図２１は外筒部の断面図である。
【００９６】
図２１に示すように、本実施形態の電気カミソリは、外筒部７の頂面７Ｔを、開口部７Ｋの全周に亘って断面が略半円弧状となる凸丸形状に形成してある。そして、その凸丸形状に形成した外筒部７の頂面７Ｔ部分を、軟質合成樹脂や軟質ゴムなどの軟弾性体２２で形成してある。もちろん、この場合にあっても外筒部７の頂面７Ｔに摩擦低減材８をコーティングしておくことが好ましい。
【００９７】
以上の構成により本実施形態によれば、外筒部７の頂面７Ｔの断面を略半円弧状となる凸丸形状に形成したので、外筒部７の頂面７Ｔと肌面とを略線接触させて外筒部７内の気密性を高め、空気吸入機構による吸引効果を向上することができる。もちろん、本実施形態では図示省略したが空気吸入機構（図３または図６参照）を設けてある。
【００９８】
また、凸丸形状に形成した外筒部７の頂面７Ｔ部分を軟弾性体２２で形成したので、外筒部７の頂面７Ｔと肌面との密着性をより高めて外筒部７内の気密性をさらに高め、空気吸入機構による吸引効果をさらに向上することができる。
【図面の簡単な説明】
【００９９】
【図１】本発明の第１実施形態にかかる電気カミソリの正面図である。
【図２】本発明の第１実施形態にかかる電気カミソリの側面図である。
【図３】本発明の第１実施形態にかかる電気カミソリの背面図である。
【図４】本発明の第２実施形態にかかる電気カミソリの正面図である。
【図５】本発明の第２実施形態にかかる電気カミソリの側面図である。
【図６】本発明の第２実施形態にかかる電気カミソリの背面図である。
【図７】本発明の第３実施形態にかかる電気カミソリのヘッド部の先端を示す端面図である。
【図８】本発明の第３実施形態にかかる電気カミソリのヘッド部の正面図である。
【図９】本発明の第４実施形態にかかる電気カミソリのヘッド部の先端を示す端面図である。
【図１０】本発明の第４実施形態にかかる電気カミソリのヘッド部の正面図である。
【図１１】本発明の第５実施形態にかかる電気カミソリの側面図である。
【図１２】本発明の第５実施形態にかかる電気カミソリの背面図である。
【図１３】図１２中Ａ部の拡大断面図である。
【図１４】本発明の第６実施形態にかかる電気カミソリの側面図である。
【図１５】本発明の第６実施形態にかかる電気カミソリの背面図である。
【図１６】本発明の第７実施形態にかかる電気カミソリの外筒部の断面図である。
【図１７】本発明の第８実施形態にかかる電気カミソリの外筒部の正面図である。
【図１８】本発明の第８実施形態にかかる電気カミソリの外筒部の側面図である。
【図１９】本発明の第９実施形態にかかる電気カミソリの外筒部の正面図である。
【図２０】本発明の第９実施形態にかかる電気カミソリの外筒部の側面図である。
【図２１】本発明の第１０実施形態にかかる電気カミソリの外筒部の断面図である。
【符号の説明】
【０１００】
１，１Ａ，１Ｂ，１Ｃ  電気カミソリ
２  グリップ部
３  外刃
４  刃ブロック
５  ヘッド部
７  外筒部
７Ｔ  外筒部の頂面
８  摩擦低減材（摩擦低減部）
９  空気吸入機構
１０  空気吸入駆動部
１１Ａ，１１Ｂ  ローラ（摩擦低減部）
１２  ボール（摩擦低減部）
１３  調整機構
１７  形状可変機構
１８Ａ、１８Ｂ  ワニ口構造部
１９  変形許容部
２１  蛇腹部（変形許容部）
２２  軟弾性体
【図１】
2009072448.tif 000003
【図２】
2009072448.tif 000004
【図３】
2009072448.tif 000005
【図４】
2009072448.tif 000006
【図５】
2009072448.tif 000007
【図６】
2009072448.tif 000008
【図７】
2009072448.tif 000009
【図８】
2009072448.tif 000010
【図９】
2009072448.tif 000011
【図１０】
2009072448.tif 000012
【図１１】
2009072448.tif 000013
【図１２】
2009072448.tif 000014
【図１３】
2009072448.tif 000015
【図１４】
2009072448.tif 000016
【図１５】
2009072448.tif 000017
【図１６】
2009072448.tif 000018
【図１７】
2009072448.tif 000019
【図１８】
2009072448.tif 000020
【図１９】
2009072448.tif 000021
【図２０】
2009072448.tif 000022
【図２１】
2009072448.tif 000023